(57)【要約】  【課題】  共通電源５を使用し、高周波信号と直流電力とを有効に分離可能にして、端末の小型化や軽量化を図った共通電源を用いた２経路増幅回路を提供する。  【解決手段】  ＤＣＳの高周波信号を増幅する第１電力増幅回路２と、ＧＳＭの高周波信号を増幅する第２電力増幅回路４と、共通電源５を備え、第１電力増幅回路２の出力と共通電源５間に第１の電源供給用ストリップライン６を接続すると共に、第１電力増幅回路２の出力と第２電力増幅回路４の出力間に第２の電源供給用ストリップライン７を接続し、第１及び第２の電源供給用ストリップライン６、７の信号ライン長をそれぞれＤＣＳの高周波信号波長の１／４に選定し、第１の電源供給用ストリップライン６に第２の電源供給用ストリップライン７を合わせた信号ライン長をＧＳＭの高周波信号波長の１／４に選定した。  【選択図】  図１
2006339838.tif 000002
【特許請求の範囲】
【請求項１】
第１周波数帯域の高周波信号を増幅する第１電力増幅回路と、前記第１周波数帯域の約１／２の周波数の第２周波数帯域の高周波信号を増幅する第２電力増幅回路と、共通電源とを備え、前記第１電力増幅回路の出力と前記共通電源の出力間に第１の電源供給用ストリップラインを接続するとともに、前記第１電力増幅回路の出力と前記第２電力増幅回路の出力間に第２の電源供給用ストリップラインを接続し、前記第１の電源供給用ストリップライン及び前記第２の電源供給用ストリップラインの信号ライン長をそれぞれ前記第１周波数帯域の高周波信号波長の１／４になるように選定し、前記第１の電源供給用ストリップラインに前記第２の電源供給用ストリップラインを合わせた信号ライン長を前記第２周波数帯域の高周波信号波長の１／４になるように選定したことを特徴とする共通電源を用いた２経路増幅回路。
【請求項２】
前記第１電力増幅回路及び前記第２電力増幅回路は、それぞれ複数個の半導体電力増幅素子を並列接続した出力段を備えることを特徴とする請求項１に記載の共通電源を用いた２経路増幅回路。
【請求項３】
前記第１周波数帯域の高周波信号は、周波数１．８ＧＨｚ帯のＤＣＳの高周波信号であり、前記第２周波数帯域の高周波信号は、周波数９００ＭＨｚ帯のＧＳＭの高周波信号であることを特徴とする請求項１もしくは２に記載の共通電源を用いた２経路増幅回路。
【発明の詳細な説明】
【技術分野】
【０００１】
本発明は、共通電源を用いた２経路増幅回路に係り、特に、周波数帯域が２倍近く相違している第１周波数帯域の高周波信号と第２周波数帯域の高周波信号を２経路増幅回路で個別に増幅する際に、２経路増幅回路の電源供給を１つの電源を用いて行う共通電源を用いた２経路増幅回路に関する。
【背景技術】
【０００２】
近年、携帯電話の需要が大幅に増大するのに伴って、携帯電話の機能が急速に増えつつあり、それによって携帯電話で使用される周波数帯域も必然的に拡大している。特に、最近になると、２つの送受信系の周波数帯域をそれぞれ離れた２つの帯域に割り当てたデュアルバンド携帯電話が利用されるようになり、さらに、デュアルバンド毎に２つまたはそれ以上の送受信系の周波数帯域がそれぞれ割り当てられたデュアルバンド携帯電話も提案されている。
【０００３】
かかるデュアルバンド携帯電話における代表的なものの１つにＧＳＭ／ＤＣＳデュアルバンド携帯電話が知られている。このＧＳＭ／ＤＣＳデュアルバンド携帯電話は、デュアルバンドの一方のバンドを周波数帯域が９００ＭＨｚ帯のＧＳＭの送受信系に割り当て、他方のバンドを周波数帯域が１．８ＧＨｚ帯域のＤＣＳの送受信系に割り当てているもので、かかる構成を備えたデュアルバンド携帯電話の一例として、特開２００２−１７１１３７号公報に開示のものがある。
【０００４】
図３は、特開２００２−１７１１３７号公報に開示されたデュアルバンド携帯電話における高周波用送信モジュール、特に、高周波用送信モジュールにおける送信用電力増幅器を含む送信回路を示す回路構成図である。
【０００５】
図３に示されるように、この送信回路は、周波数帯域が１．８ＧＨｚ帯のＤＣＳの高周波信号が入力される第１信号入力端子３１と、ＤＣＳの高周波信号を増幅する第１電力増幅回路３２と、周波数帯域が９００ＭＨｚ帯のＧＳＭの高周波信号が入力される第２信号入力端子３３と、ＧＳＭの高周波信号を増幅する第２電力増幅回路３４と、第１電源３５と、第２電源３６と、第１電源供給線３７と、第２電源供給線３８と、第１整合回路３９と、第２整合回路４０と、第１ローパスフィルタ４１と、第２ローパスフィルタ４２と、アンテナスイッチ４３と、信号出力端子４４とからなっている。
【０００６】
この場合、第１電力増幅回路３２は、従属接続された３つの増幅段からなり、第２電力増幅回路３４は、従属接続された３つの増幅段からなる。第１整合回路３９は、直列接続されたストリップライン及びコンデンサと、分路接続された２つのコンデンサとからなり、第２整合回路４０は、直列接続されたストリップライン及びコンデンサと分路接続された２つのコンデンサとからなる。第１ローパスフィルタ４１は、直列接続されたインダクタと分路接続された２つのコンデンサとからなり、第２ローパスフィルタ４２は、直列接続されたインダクタと分路接続された２つのコンデンサとからなる。アンテナスイッチ４３は、２つの切替端子と１つの可動端子を持った２回路１接点型のものである。なお、第１電源供給線３７は、その信号ライン長がＤＣＳの高周波信号波長の１／４の長さに選定され、第２電源供給線３８は、その信号ライン長がＧＳＭの高周波信号波長の１／４の長さに選定されている。
【０００７】
そして、第１電力増幅回路３２は、入力端が結合コンデンサを通して第１信号入力端子３１に接続され、出力端が第１整合回路３９の入力端に接続される。第２電力増幅回路３４は、入力端が結合コンデンサを通して第２信号入力端子３３に接続され、出力端が第２整合回路４０の入力端に接続される。第１電源供給線３７は、第１電力増幅回路３２の出力端と第１電源３５との間に接続され、第２電源供給線３８は、第２電力増幅回路３４の出力端と第２電源３６との間に接続される。第１ローパスフィルタ４１は、入力端が第１整合回路３９の出力端に接続され、出力端がアンテナスイッチ４３の一方の切替端子に接続される。第２ローパスフィルタ４２は、入力端が第２整合回路４０の出力端に接続され、出力端がアンテナスイッチ４３の他方の切替端子に接続される。アンテナスイッチ４３は、可動端子が信号出力端子４４に接続される。
【０００８】
前記構成による送信回路は、次のように動作する。
【０００９】
第１電力増幅回路３２は、その出力端が第１電源供給線３７を通して第１電源３５に接続され、第１電源３５から第１電源供給線３７を通して駆動電力が供給されるので、能動状態、すなわち増幅動作可能な状態に設定され、また、第２電力増幅回路３４は、その出力端が第２電源供給線３８を通して第２電源３６に接続され、第２電源３６から第２電源供給線３８を通して駆動電力が供給されるので、同じように能動状態に選定される。
【００１０】
いま、アンテナスイッチ４３の可動接点が一方の切替端子側に切替られているとき、第１信号入力端子３１にＤＣＳの高周波信号が供給されると、その高周波信号は第１電力増幅回路３２で電力増幅され、増幅された高周波信号は、第１整合回路３９を通ってインピーダンス整合された状態で第１ローパスフィルタ４１に供給され、そこで不要な周波数成分が除去された後、アンテナスイッチ４３を通って信号出力端子４４に供給され、信号出力端子４４に接続されたアンテナから送信される。
【００１１】
一方、アンテナスイッチ４３の可動接点が他方の切替端子側に切替られているとき、第２号入力端子３３にＧＳＭの高周波信号が供給されると、その高周波信号は第２電力増幅回路３４で電力増幅され、増幅された高周波信号は、第２整合回路４０を通ってインピーダンス整合された状態で第２ローパスフィルタ４２に供給され、そこで不要な周波数成分が除去された後、アンテナスイッチ４３を通って信号出力端子４４に供給され、信号出力端子４４に接続されたアンテナから送信される。
【００１２】
このような動作が行われる場合に、第１電力増幅回路３２の出力端に増幅されたＤＣＳの高周波信号が出力されたとき、第１電力増幅回路３２の出力端と第１電源３５間に接続されている第１電源供給線３７は、ＤＣＳの高周波信号波長の１／４の信号ライン長になるように選定されているので、第１電力増幅回路３２の出力端から第１電源供給線３７側を見たとき、ＤＣＳの高周波信号に対する第１電源供給線３７のインピーダンスが第１整合回路３９の入力インピーダンスに比べてかなり高い値になっている。このため、第１電力増幅回路３２の出力端に得られた増幅されたＤＣＳの高周波信号は、第１電源供給線３７の接続による信号損失が殆どない状態で第１整合回路３９に供給され、高周波信号と直流電力とを有効に分離することが可能になる。
【００１３】
かかる機能は第２電力増幅回路３４側においても同様で、第２電力増幅回路３４の出力端に増幅されたＧＳＭの高周波信号が出力されたとき、第２電力増幅回路３４の出力端と第２電源３６間に接続されている第２電源供給線３８は、ＧＳＭの高周波信号波長の１／４の信号ライン長に選定されているので、第２電力増幅回路３４の出力端から第２電源供給線３８側を見たとき、ＧＳＭの高周波信号に対する第２電源供給線３８のインピーダンスが第２整合回路４０の入力インピーダンスに比べてかなり高い値になっている。このため、第２電力増幅回路３４の出力端に得られた増幅されたＧＳＭの高周波信号は、第２電源供給線３８の接続による信号損失が殆どない状態で第２整合回路４０に供給され、高周波信号と直流電力とを有効に分離することが可能になる。
【特許文献１】特開２００２−０４３９７７号公報
【発明の開示】
【発明が解決しようとする課題】
【００１４】
前記特開２００３−１５２５８８号公報に開示された送信回路は、第１電力増幅回路３２の出力端に接続された第１電源供給線３７、及び、第２電力増幅回路３４の出力端に接続された第２電源供給線３８による信号損失を殆どなくすことができ、高周波信号と直流電力とを有効に分離することができるものであるが、第１電力増幅回路３２の駆動に電源３５を、また、第２電力増幅回路３４の駆動に第２電源３６をというように２つの電源３５、３６を用いているので、端末を実装する際に２つの電源３５、３６の占有領域が必要になるだけでなく、実装状態の設計が複雑になり、結果的に端末の小型化及び軽量化が難しいものである。
【００１５】
本発明は、このような技術的背景に鑑みてなされたもので、その目的は、共通電源を使用し、かつ、高周波信号と直流電力とを有効に分離可能にした構成にして、端末の小型化や軽量化を図ることができる共通電源を用いた２経路増幅回路を提供することにある。
【課題を解決するための手段】
【００１６】
前記目的を達成するために、本発明による共通電源を用いた２経路増幅回路は、第１周波数帯域の高周波信号を増幅する第１電力増幅回路と、第１周波数帯域の約１／２の周波数の第２周波数帯域の高周波信号を増幅する第２電力増幅回路と、共通電源とを備え、第１電力増幅回路の出力と共通電源の出力間に第１の電源供給用ストリップラインを接続するとともに、第１電力増幅回路の出力と第２電力増幅回路の出力間に第２の電源供給用ストリップラインを接続し、第１の電源供給用ストリップライン及び第２の電源供給用ストリップラインの信号ライン長をそれぞれ第１周波数帯域の高周波信号波長の１／４になるように選定し、第１の電源供給用ストリップラインに第２の電源供給用ストリップラインを合わせた信号ライン長を第２周波数帯域の高周波信号波長の１／４になるように選定した手段を具備する。
【００１７】
前記手段において、第１電力増幅回路及び前記第２電力増幅回路は、それぞれ複数個の半導体電力増幅素子を並列接続した出力段を備える構成にすることが好ましい。
【００１８】
前記手段において、第１周波数帯域の高周波信号は、周波数１．８ＧＨｚ帯のＤＣＳの高周波信号であり、第２周波数帯域の高周波信号は、周波数９００ＭＨｚ帯のＧＳＭの高周波信号である構成にすることができる。
【発明の効果】
【００１９】
以上のように、本発明による共通電源を用いた２経路増幅回路によれば、第１周波数帯域の高周波信号を増幅する第１電力増幅回路の出力と共通電源の出力間に第１の電源供給用ストリップラインを、第１電力増幅回路の出力と第２周波数帯域の高周波信号を増幅する第２電力増幅回路の出力間に第２の電源供給用ストリップラインをそれぞれ接続し、その際に第１の電源供給用ストリップライン及び第２の電源供給用ストリップラインの信号ライン長をそれぞれ第１周波数帯域の高周波信号波長の１／４になるように選定し、第１の電源供給用ストリップラインに第２の電源供給用ストリップラインを合わせた信号ライン長を第２周波数帯域の高周波信号波長の１／４になるように選定したことにより、前記共通電源を使用したにも係わらず、第１の電源供給用ストリップライン及び第２の電源供給用ストリップラインの高周波信号に対する信号損失をなくし、高周波信号と直流電力とを有効に分離することが可能になるもので、それによって端末の小型化や軽量化を図ることができるという効果がある。
【発明を実施するための最良の形態】
【００２０】
以下、本発明の実施の形態を図面を参照して説明する。
【００２１】
図１は、本発明による共通電源を用いた２経路増幅回路の一つの実施の形態に係わるもので、その要部構成を示す回路構成図である。
【００２２】
図１に示されるように、この実施の形態による共通電源を用いた２経路増幅回路は、第１周波数帯域である１．８ＧＨｚ帯のＤＣＳの高周波信号が入力される第１信号入力端子１と、ＤＣＳの高周波信号を増幅する第１電力増幅回路２と、第２周波数帯域である９００ＭＨｚ帯のＧＳＭの高周波信号が入力される第２信号入力端子３と、ＧＳＭの高周波信号を増幅する第２電力増幅回路４と、共通電源５と、第１の電源供給用ストリップライン６と、第２の電源供給用ストリップライン７と、第１整合回路８と、第２整合回路９と、第１ローパスフィルタ１０と、第２ローパスフィルタ１１と、アンテナスイッチ１２と、信号出力端子１３とからなり、この他に、第１結合コンデンサ１４と、第２結合コンデンサ１５と、バイパスコンデンサ１６とを備えている。
【００２３】
この場合、第１電力増幅回路２は、従属接続された３つの増幅段２1 、２2 、２3 からなっており、第２電力増幅回路４は、従属接続された３つの増幅段４1 、４2 、４3 からなっている。第１整合回路８は、直列接続されたストリップライン８1 及びコンデンサ８2 と、分路接続された２つのコンデンサ８3 、８4 とからなっており、第２整合回路９は、直列接続されたストリップライン９1 及びコンデンサ９2 と、分路接続された２つのコンデンサ９3 、９4 とからなっている。第１ローパスフィルタ１０は、直列接続されたインダクタ１０1 と分路接続された２つのコンデンサ１０2 、１０3 とからなっており、第２ローパスフィルタ１１は、直列接続されたインダクタ１１1 と分路接続された２つのコンデンサ１１2 、１１3 とからなっている。また、アンテナスイッチ１２は、２つの切替端子１２1 、１２2 と１つの可動端子１２3 を持つ２回路１接点型のものである。
【００２４】
そして、第１電力増幅回路２は、入力端が第１結合コンデンサ１４を通して第１信号入力端子１に接続され、出力端が第１整合回路８の入力端に接続される。第２電力増幅回路４は、入力端が結合コンデンサ１５を通して第２信号入力端子３に接続され、出力端が第２整合回路９の入力端に接続される。第１の電源供給用ストリップライン６は、第１電力増幅回路２の出力端と共通電源５の出力端子との間に接続され、第２の電源供給用ストリップライン７は、第１電力増幅回路２の出力端と第２電力増幅回路４の出力端との間に接続される。共通電源５は、接地端子が接地点に接続され、その出力端子と接地端子との間にバイパスコンデンサ１６が接続される。第１ローパスフィルタ１０は、入力端が第１整合回路８の出力端に接続され、出力端がアンテナスイッチ１２の一方の切替端子１２1 に接続される。第２ローパスフィルタ１１は、入力端が第２整合回路９の出力端に接続され、出力端がアンテナスイッチ１２の他方の切替端子１２2 に接続される。アンテナスイッチ１２は、可動端子１２3 が信号出力端子１３に接続される。
【００２５】
この場合、第１電力増幅回路２の最終増幅段２3 及び第２電力増幅回路４の最終増幅段４3 は、図１に図示の丸枠内に示されているように、それぞれ、並列接続された複数（ｎ）個のエミッタ接地トランジスタからなる出力増幅段を備えた増幅回路が用いられ、最終増幅段２3 側の並列接続された複数個のトランジスタのコレクタに第１電力増幅回路２の出力端が接続され、最終増幅段４3 側の第２電力増幅回路２の出力端が接続された構成になっている。
【００２６】
また、図２は、図１に図示された第１電力増幅回路２及び第２電力増幅回路４の各出力端部分の回路構成の詳細を示す回路図である。
【００２７】
図２において、１７は第１電力増幅回路２の出力端と接地点間に形成される浮遊容量を示す第１浮遊コンデンサ、１８は第２電力増幅回路４の出力端と接地点間に形成される浮遊容量を示す第２浮遊コンデンサであり、その他、図１に示された構成要素と同じ構成要素については同じ符号を付している。
【００２８】
図２に示されるように、第１電力増幅回路２の出力端と共通電源５の出力端子との間に第１の電源供給用ストリップライン６が接続され、また、第１電力増幅回路２の出力端と第２電力増幅回路４の出力端との間に第２の電源供給用ストリップライン７が接続されている。このとき、第１電力増幅回路２で増幅されるＤＣＳの高周波信号に対し、第１の電源供給用ストリップライン６及び第２の電源供給用ストリップライン７の信号ライン長をＤＣＳの高周波信号波長の１／４になるように選定しており、それと同時に、第２電力増幅回路４で増幅されるＧＳＭの高周波信号に対し、第１の電源供給用ストリップライン６と第２の電源供給用ストリップライン７とを合わせた信号ライン長を波長の１／４になるように選定している。
【００２９】
このとき、ＤＣＳの高周波信号については、第１の電源供給用ストリップライン８及び第２の電源供給用ストリップライン７の各一端が第１電力増幅回路２の出力端に接続され、第１の電源供給用ストリップライン６の他端がバイパスコンデンサ１６を通して、また、第２の電源供給用ストリップライン７の他端が第２浮遊コンデンサ１８を通してそれぞれ接地接続されているので、第１の電源供給用ストリップライン６及び第２の電源供給用ストリップライン７は、その物理ライン長と信号ライン長とが対応しており、それらの物理ライン長をそれぞれＤＣＳの高周波信号波長の１／４になるように選定する。
【００３０】
一方、ＧＳＭの高周波信号については、直列接続された第１の電源供給用ストリップライン６と第２の電源供給用ストリップライン７からなる直列回路の一端が第２電力増幅回路４の出力端に接続され、この直列回路の他端が第２浮遊コンデンサ１８を通して接続されているが、第１の電源供給用ストリップライン６と第２の電源供給用ストリップライン７との接続部分となる第１電力増幅回路２の出力端と接地点との間に第１浮遊コンデンサ１７が接続されており、この第１浮遊コンデンサ１８が第１の電源供給用ストリップライン６に並列接続されることになる。この場合、前述のように第１の電源供給用ストリップライン６をＤＣＳの高周波信号波長の１／４になるように選定し、かつ、第１の電源供給用ストリップライン６と第２の電源供給用ストリップライン７とを合わせた物理ライン長をＧＳＭの高周波信号波長の１／４になるように選定するが、このような選定をした場合、第１の電源供給用ストリップライン６のＧＳＭの高周波信号に対する信号ライン長がその物理ライン長よりも若干短くなるが、動作上、ＧＳＭの高周波信号への影響は殆どない。
【００３１】
前記構成による共通電源を用いた２経路増幅回路の動作について説明する。
【００３２】
第１電力増幅回路２は、その出力端が第１の電源供給用ストリップライン６を通して共通電源５に接続され、共通電源５から第１の電源供給用ストリップライン６を通して駆動電力が供給されるので、能動状態、すなわち増幅動作可能な状態に設定され、また、第２電力増幅回路４は、その出力端が第２の電源供給用ストリップライン７及び第１の電源供給用ストリップライン６を通して共通電源５に接続され、共通電源５から第１及び第２の電源供給用ストリップライン６、７を通して駆動電力が供給されるので、同様に能動状態に設定される。
【００３３】
ここで、アンテナスイッチ１２の可動接点が一方の切替端子１２1 側に切替られているとき、第１信号入力端子１にＤＣＳの高周波信号が供給されると、その高周波信号は第１電力増幅回路２で電力増幅され、増幅された高周波信号は、第１整合回路８を通ってインピーダンス整合された状態で第１ローパスフィルタ１０に供給され、そこで不要な周波数成分が除去された後、切替られているアンテナスイッチ１２を通って信号出力端子１３に供給され、信号出力端子１３に接続されたアンテナから送信される。
【００３４】
一方、アンテナスイッチ４３の可動接点が他方の切替端子１２2 側に切替られているとき、第２号入力端子３にＧＳＭの高周波信号が供給されると、その高周波信号は第２電力増幅回路４で電力増幅され、増幅された高周波信号は、第２整合回路９を通ってインピーダンス整合された状態で第２ローパスフィルタ１１に供給され、そこで不要な周波数成分が除去された後、切替られているアンテナスイッチ１２を通って信号出力端子１３に供給され、信号出力端子１３に接続されたアンテナから送信される。
【００３５】
このような動作が行われる際に、第１電力増幅回路２の出力端に増幅されたＤＣＳの高周波信号が出力されたとき、第１電力増幅回路２の出力端と共通電源５間に接続されている第１の電源供給用ストリップライン６は、ＤＣＳの高周波信号波長の１／４の信号ライン長になるように選定され、また、同じく第１電力増幅回路２の出力端と第２電力増幅回路４の出力端間に接続されている第２の電源供給用ストリップライン７は、ＤＣＳの高周波信号波長の１／４の信号ライン長になるように選定されているので、第１電力増幅回路２の出力端から第１の電源供給用ストリップライン６側及び第２の電源供給用ストリップライン７側を見たとき、ＤＣＳの高周波信号に対する第１の電源供給用ストリップライン６及び第２の電源供給用ストリップライン７のインピーダンスのいずれも第１整合回路８の入力インピーダンスに比べてかなり高い値になっている。このため、第１電力増幅回路２の出力端に得られた増幅されたＤＣＳの高周波信号は、第１及び第２の電源供給用ストリップライン６、７の接続による信号損失が殆どない状態で第１整合回路８に供給され、第１電力増幅回路２の出力端において高周波信号と直流電力とを有効に分離することが可能になる。
【００３６】
前記機能は第２電力増幅回路４側においても同様に発揮されるもので、第２電力増幅回路４の出力端に増幅されたＧＳＭの高周波信号が出力されたとき、第２電力増幅回路４の出力端と共通電源５間に直列接続されている第１及び第２の電源供給用ストリップライン６、７の長さは、ＧＳＭの高周波信号波長の１／４の信号ライン長に選定されているので、第２電力増幅回路４の出力端から直列接続されている第１及び第２の電源供給用ストリップライン６、７側を見たとき、ＧＳＭの高周波信号に対する直列接続されている第１及び第２の電源供給用ストリップライン６、７のインピーダンスが第２整合回路９の入力インピーダンスに比べてかなり高い値になっている。このため、第２電力増幅回路４の出力端に得られた増幅されたＧＳＭの高周波信号は、直列接続されている第１及び第２の電源供給用ストリップライン６、７の接続による信号損失が殆どない状態で第２整合回路９に供給され、第２電力増幅回路４の出力端において高周波信号と直流電力とを有効に分離することが可能になる。
【００３７】
このように、この実施の形態による共通電源を用いた２経路増幅回路によれば、ＤＣＳの高周波信号を増幅する第１電力増幅回路２の出力と共通電源５の出力間に第１の電源供給用ストリップライン６を、第１電力増幅回路２の出力と第２周波数帯域の高周波信号を増幅する第２電力増幅回路４の出力間に第２の電源供給用ストリップライン７をそれぞれ接続し、その際に第１の電源供給用ストリップライン６及び第２の電源供給用ストリップライン７の信号ライン長をそれぞれ第１周波数帯域の高周波信号波長の１／４になるように選定し、第１の電源供給用ストリップライン６に第２の電源供給用ストリップライン７を合わせた信号ライン長を第２周波数帯域の高周波信号波長の１／４になるように選定したことにより、共通電源５を使用したにも係わらず、第１の電源供給用ストリップライン６及び第２の電源供給用ストリップラインの高周波信号に対する信号損失をなくし、高周波信号と直流電力とを有効に分離することが可能になり、それにより端末の小型化や軽量化を図ることができる。
【００３８】
なお、前記実施の形態においては、第１周波数帯域の高周波信号が周波数１．８ＧＨｚ帯のＤＣＳの高周波信号であり、第２周波数帯域の高周波信号が周波数９００ＭＨｚ帯のＧＳＭの高周波信号である例を挙げて説明したが、本発明に適用される第１及び第２周波数帯域の高周波信号は、このような高周波信号に限られるものではなく、周波数帯域の関係がＤＣＳの高周波信号及びＧＳＭの高周波信号に類似している２つの周波数帯域の高周波信号であれば、他の高周波信号に対しても同様に適用することが可能である。
【図面の簡単な説明】
【００３９】
【図１】本発明による共通電源を用いた２経路増幅回路の一つの実施の形態に係わるもので、その要部構成を示す回路構成図である。
【図２】図１に図示された第１電力増幅回路及び第２電力増幅回路の各出力端部分の回路構成の詳細を示す回路図である。
【図３】既知のデュアルバンド携帯電話における高周波用送信モジュール、特に、当該モジュールにおける送信用電力増幅器を含む送信回路を示す回路構成図である。
【符号の説明】
【００４０】
１  第１信号入力端子
２  第１電力増幅回路
３  第２信号入力端子
４  第２電力増幅回路
５  共通電源
６  第１の電源供給用ストリップライン
７  第２の電源供給用ストリップライン
８  第１整合回路
９  第２整合回路
１０  第１ローパスフィルタ
１１  第２ローパスフィルタ
１２  アンテナスイッチ
１３  信号出力端子
１４  第１結合コンデンサ
１５  第２結合コンデンサ
１６  バイパスコンデンサ
【図１】
2006339838.tif 000003
【図２】
2006339838.tif 000004
【図３】
2006339838.tif 000005